(57)【要約】      （修正有）【課題】支点を構成する別部品に頼らずに、一本の歯ブラシ内で歯ブラシが歯や歯肉に直角に当たろうとする機能を達成する。【解決手段】梃子の原理をもちいて、歯ブラシの毛先３が歯８や歯肉のポケットに直角に当たるように、歯や歯肉に接触する部位を作用点とし、力点となる親指と人差し指で保持する部分の摩擦を最小限にするため、この部分の軸を細くてなだらかな凹面の曲線状にした。歯ブラシの柄２の先端部と掌の交点を支点１４として、この支点部分の回転を妨げないように、曲面の先端とした。しかも小さな力で、対象となる歯や歯肉に直角に速やかに対応できるように、ブラシの毛の対角線の反対側にふくらみ４と、柄と歯ブラシヘッド１間に回転しやすくする角度７を設けた。【選択図】図４
2005245997.tif 000002
【特許請求の範囲】
【請求項１】
梃子の原理を用いて、歯ブラシの毛先部分が歯や歯肉と接触する部位を作用点として、歯ブラシの毛先へ繋がる軸部と柄の接合部により大きな力がかかるように毛先の柄（歯ブラシヘッド）に角度を設け、かつ、モーメントを起こすこぶのような膨れた部分をつくり、摩擦を最小限にするため、そのふくらみ部分の下からなだらかな凹面状のくびれを柄の中心に向ってつける。この親指と人差し指ではさまれたこの部分が力点となる。歯ブラシの，柄の先端と掌との接触部分あるいは親指と人差し指の間の水かきの甲の部分が支点となるようにし、毛先の作用点の動きに、反応して、力点と支点部位が回転して、歯や歯肉に常に直角に当たるように工夫をした歯ブラシ。
【請求項２】
この発明の原理を用いて、歯肉や舌苔を清掃及びブラッシングすると、毛先は表面の凹凸部分の全てを掻き出しながらポケットには直角に、歯肉や舌の凹凸のすべての面に当たろうとして、斜めにひきつれながら、ゆっくりと、優しく、確実に清掃し、歯肉や舌を傷つけない工夫を加味した舌磨き歯ブラシ、歯肉歯ブラシ。
【請求項３】
この発明の原理を応用した食器、便器などの洗浄ブラシ。
【発明の詳細な説明】
【技術分野】
【０００１】ブラシ製品（歯ブラシ、洗浄ブラシ）
【背景技術】
【０００２】現在市販されている歯ブラシは歯や歯肉に直角に当たることはなく、はみがきの仕方の指導が欠かせない。そのうえ、形状で、あらゆる面に当たるように工夫をし、歯肉のポケット（歯と歯肉の間の隙間）を傷めない細い毛先の歯ブラシなど各種が作られ販売されている。なぜこのような形状や細さが求められてきたのか。要するに理想のあらゆる面に直角に当てることは不可能と考えられて来たからである。しかし、歯磨きの理想は歯ブラシが歯や歯肉に直角に当たり、しかも歯肉のポケットの深さまで入ってそれ以上入らない歯ブラシの発明が望まれている。
本人以前の出願（平成４年５月２２日）で同様の目的を達成するために、歯ブラシの柄の支点を支えるために、別のホールダ部品で歯ブラシの柄を支えるようにしたが、部品点数の増加を招き、コストの上昇と、柄の間から、歯ブラシの際に汚れがはいり、洗浄を余儀なくされた。まだその当時、一本の歯ブラシ内で梃子の原理を適用できるとは考えられなかった。
【発明が解決しようとする課題】
【０００３】支点を構成する別部品に頼らずに、一本の歯ブラシ内で歯ブラシが歯や歯肉に直角に当たろうとする機能を達成することを目指した。この達成で嫌な、ホールダの分解やホールダの隙間の悪臭から開放されることをめざした。
部品点数を減らし、コストを下げ、通常の洗浄で、衛生的な機能を維持できる直角に当たろうと自在に回転できる歯ブラシを作る工夫をする。
【課題を解決するための手段】
【０００４】支点を人の掌と歯ブラシの柄の先端部分との接触部分あるいは親指と人差し指の水かきの甲の部分を支点として機能を代替できるように、先を摩擦の少ない曲線状で、回転の中心を維持できるようにし、かつ、親指と人差し指で挟む部位は、摩擦を最小にするため、細くてゆるやかな凹面流線型にし、回転し易くする。
【０００５】支点になる掌の摩擦部分や力点になる親指と人差し指以外には力がかからないように放物面球や半円球にすることによって歯ブラシの毛先部分が歯や歯肉に的確に当たるようになって、毛先が自在に回転するようになる。作用点となる毛先部分が歯や歯肉に触れると安定を求めてくるりと回って、結果的に直角に当たる。直角に毛先が当たると、力のバランスがとれ、しっかりとブラシングできる。
【発明の効果】
【０００６】この発明によって、ブラッシングの指導や色々な形状の歯ブラシを持ち、長時間のブラッシングしなければならない現状を打破できる。
【０００７】この歯ブラシで歯肉や舌部の舌苔のブラシングする場合には歯肉や舌は歯よりは表面疎度があらく、摩擦が大きいと毛先はその粗い部位の全て通過しようとして、ブラシの動きに引きずられるように動く。その結果、歯ブラシが直角から引きずられるように角度を維持しなら斜めに凹凸面に沿いながら動くことになり、歯肉や舌を傷めない優しい掻き出しとなり、しかも凹凸の奥までしっかりと掻き出す効果を持つ。
【０００８】ホールダなどの別部品がなくなり、ホールダの間から出る悪臭からの開放と、安価な直角に当たろうとする歯ブラシによるブラッシングが可能となった。
【発明を実施するための最良の形態】
【０００９】次のような実施例のような基本構造を持たせる。
【実施例】
【００１０】〔図１〕は  回転自在歯ブラシの基本形【００１１】〔図３〕は  柄が細すぎて持ち難いと感じる人用で柄の先端が少し大きい球状をした実施例【００１２】〔図５〕は  洗浄用ブラシの実施例
【図面の簡単な説明】
【００１３】
【図１】  回転自在歯ブラシの実施例の側面図
【図２】  回転自在歯ブラシの実施例の正面図
【図３】  支点部分の放物面球を柄の径よりも一段と大きくした回転自在歯ブラシの実施例の側面図
【図４】  梃子の原理を回転自在歯ブラシに利用した発明の骨子を示す図  歯ブラシの毛先が歯の表面に触れた時、親指と人差し指で挟むこのくびれ部分が力点になり、毛先が作用点となって、掌の歯ブラシの柄の先端を支点として、作用し毛先と支点間の距離と毛先部分の重さを乗じたモーメントと親指から支点まで距離間で押さえに使った力の大きさの差が毛先の自在の回転を容易にするモーメントとなる。よってなるべく柄の先から歯ブラシヘッドの重みを引き出すべくこぶを作り、逆に支点、力点方向の重みや、摩擦を小さくし、ヘッドの動きを機敏に捉えて、反応するように工夫を凝らした図。
【図５】  梃子の原理で親指と人差し指の間の水かきの甲を支点とする場合の、使用例を示す図
【図６】  洗浄ブラシの実施例
【符号の説明】
【００１４】  １    歯ブラシヘッド部
２    歯ブラシの柄
３    毛先
４    モーメントを生み出すふくらみ（こぶ）
５    柄の先端部
６    親指と人差し指で挟む部分のくびれ部分
７    歯ブラシヘッドと  歯ブラシの柄のなす角度
８    歯
９    支点
１０    力点
１１    作用点
１２    力点から支点までの距離
１３    支点から作用点までの距離
１４    掌と歯ブラシの柄先端が接触する支点部分
１５    親指と人差し指の間の水かき付近の支点に成る部分
１６    力点から作用点までの距離
【図１】
2005245997.tif 000003
【図２】
2005245997.tif 000004
【図３】
2005245997.tif 000005
【図４】
2005245997.tif 000006
【図５】
2005245997.tif 000007
【図６】
2005245997.tif 000008